(57)【要約】【課題】  専用のソフトウェアがインストールされた専用の端末や専任のオペレータ（作業者）からの入力によらずに、情報配信システムにおける放映スケジュールの途中に、任意のメッセージ等を割り込み表示可能にする。【解決手段】  情報配信事業者が運営する管理サーバ１３と、情報配信事業者と予め契約して、情報配信サービスを受ける顧客の表示装置用端末１２および表示装置１４と、がネットワーク１０を介して接続され、管理サーバ１３から各顧客に配信された情報が顧客ごとの予め決められた放映スケジュールに従って、表示装置１４に表示される情報配信システム１であり、管理サーバ１３は、各顧客対応の記録手段を備え、ネットワーク１０に接続された入力端末１１から記録手段にアクセスして入力された顧客に特有な情報を、顧客の放映スケジュールの指定された時間で割り込ませて表示させる。【選択図】図１
2005136550.tif 000002
【特許請求の範囲】
【請求項１】
情報配信事業者が運営する管理サーバと、前記情報配信事業者と予め契約して、情報配信サービスを受ける顧客の表示装置用端末および表示装置と、がネットワークを介して接続され、前記管理サーバから各顧客に配信された情報が顧客ごとの予め決められた放映スケジュールに従って、前記表示装置に表示される情報配信システムであって、
前記管理サーバは、各顧客対応の記録手段を備え、
前記ネットワークに接続された入力端末から前記記録手段にアクセスして入力された顧客に特有な情報を、前記顧客の放映スケジュールの指定された時間で割り込ませて表示させることを特徴とする情報配信システム。
【請求項２】
前記記録手段は、複数の登録ページからなり、該登録ページのうちの指定されたページの情報を前記顧客の放映スケジュールの指定された時間で割り込ませて表示させることを特徴とする請求項１に記載の情報配信システム。
【請求項３】
前記記録手段へ入力する情報は、テキスト及び／又は画像であることを特徴とする請求項１又は２に記載の記載の情報配信システム。
【請求項４】
前記記録手段への情報の入力のために、各登録ページのテキスト及び／又は画像を作成して登録するためのテンプレートが設けられていることを特徴とする請求項３に記載の情報配信システム。
【請求項５】
指定されたページに、登録された情報が無い場合には、既定の情報を前記顧客の放映スケジュールの指定された時間で割り込ませて表示させることを特徴とする請求項２〜４のいずれかに記載の情報配信システム。
【発明の詳細な説明】
【技術分野】
【０００１】
本発明は、管理サーバからディスプレイ表示端末に情報を配信する情報配信システムに関する。
【背景技術】
【０００２】
近年、商業施設、病院、官公庁などのように不特定多数の人が看取可能な場所に設置された表示装置に、情報配信事業者が通信回線によって映像情報を提供して表示させる情報配信サービスが行われている。
このような情報配信サービスを行う情報配信システムにおいて、専用の端末からオペレータが入力した緊急のニュースやお知らせ、または宣伝広告などのテキスト情報を横スクロールのテロップ等により表示する場合がある。
また、上記緊急のニュースやお知らせ、または宣伝広告などの情報を遠隔地から変更する従来技術として、表示器に表示データを受信する無線受信機を設け、管理者端末側が入力する表示器別、時間表示別、地域別等のデータに従って表示器の表示内容を変更する遠隔操作による表示装置（表示システム）が開示されている。（例えば、特許文献１参照）。
【特許文献１】特開平５−３００５６３号公報
【発明の開示】
【発明が解決しようとする課題】
【０００３】
しかしながら、従来の情報配信システムにおいては、表示装置における表示内容を変更したり、テロップ用テキストを入力したりするには、専用のソフトウェアがインストールされた専用の端末や専任のオペレータ（作業者）が必要であった。また、表示装置には、特定パターンのテキスト入力やオンスクリーンの横スクロール方式のテロップ表示しかできないという不都合もあった。
【０００４】
本発明が解決しようとする課題としては、上述した従来技術のように専用の端末及び専任のオペレータ（作業者）からの入力によらずに、情報配信システムにおける放映スケジュールの途中に、任意のメッセージ等を割り込み表示することが一例として挙げられる。
【課題を解決するための手段】
【０００５】
請求項１に記載の発明は、
情報配信事業者が運営する管理サーバと、前記情報配信事業者と予め契約して、情報配信サービスを受ける顧客の表示装置用端末および表示装置と、がネットワークを介して接続され、前記管理サーバから各顧客に配信された情報が顧客ごとの予め決められた放映スケジュールに従って、前記表示装置に表示される情報配信システムであって、前記管理サーバは、各顧客対応の記録手段を備え、前記ネットワークに接続された入力端末から前記記録手段にアクセスして入力された顧客に特有な情報を、前記顧客の放映スケジュールの指定された時間で割り込ませて表示させることを特徴とする。
【発明を実施するための最良の形態】
【０００６】
以下に、本発明の実施の形態について図面を参照して説明する。
図１は、本実施の形態による情報配信システムの構成を示すブロック図である。図１に示すように、情報配信システム１は、情報配信事業者が運営する管理サーバ１３と、情報配信事業者と予め契約して、情報配信サービスを受ける顧客の表示装置用端末１２および表示装置１４とがインターネットやＶＰＮ，ＬＡＮ等のネットワーク１０を介して接続されたシステムであり、情報配信事業者がネットワーク１０を介して各顧客に特有な情報配信を行うものである。
【０００７】
そして、この情報配信システム１では、管理サーバ１３から各顧客に配信された情報が顧客ごとの予め決められた放映スケジュールに従って、顧客の表示装置用端末１２がこの配信された情報を映像・音声情報に変換して表示装置１４に表示する。
【０００８】
さらに、本実施の形態による情報配信システム１では、情報配信事業者と予め契約した顧客は、ネットワーク１０に接続された入力端末１１から顧客特有のユーザーＩＤ，パスワードを入力することにより、管理サーバ１３の各顧客対応の記録手段にアクセスが可能であり、この各顧客対応の記録手段に入力された情報を、顧客自身が指定した時間で、前記の放映スケジュール内に割り込ませて表示させるシステムである。
【０００９】
以下、本実施の形態による情報配信システム１をさらに詳細に説明する。
上記入力端末１１はネットワーク１０に接続可能なＰＣ（パーソナルコンピュータ）等であればよく、特定の専用端末や専用のアプリケーションを組み込んだＰＣ等である必要はない。
この入力端末１１は、汎用のブラウザなどのソフトウェアを使用し、所定のアドレスへアクセスし、情報配信事業者より与えられた顧客特有のユーザーＩＤ，パスワードを入力することにより、各顧客に対応した情報入力画面が表示される。そして、この情報入力画面内に表示されたテンプレート等に従って書き込んだ情報が管理サーバ１３へ送信される。
【００１０】
管理サーバ１３では、顧客特有の専門情報や宣伝広告、娯楽番組などの複数のコンテンツが記録され一括管理しており、それぞれの顧客に対応した上記の各コンテンツが、予め決められた放映スケジュールによって放映されるように配信するが、この情報の配信はリアルタイムに配信しなくてもよく、例えば、顧客の表示装置用端末１２が管理サーバ１３に記録された各顧客対応のコンテンツデータを予めダウンロードしておき、表示装置用端末１２が予め決められた放映スケジュールに従って、映像・音声情報に変換して表示装置１４に表示するようにしてもよい。
また、管理サーバ１３は、入力端末１１から顧客自身が入力した情報を記録する記録手段である顧客毎の複数のページからなる登録ページを用意している。
そして、この登録ページには、テキスト及び／又は画像を入力することができ、登録ページのうちの指定されたページの情報を顧客の放映スケジュールの指定された時間で割り込ませて表示させることができる。
また、各登録ページのテキスト及び／又は画像を作成して登録するためのテンプレートが設けられていることが好ましい。
なお、この登録ページのうちの指定されたページに、登録された情報が無い場合には、
既定の情報（壁紙や定型文や予め用意された画像等）を顧客の放映スケジュールの指定された時間で割り込ませて表示させる。
また、管理サーバ１３は各顧客のユーザーＩＤやパスワード、上記登録ページ等を記録しており、管理サーバ１３の管理者は、これらの情報を管理するため、これらの情報の閲覧、顧客のアクセスログ等のチェックなどを行うことができる。
【００１１】
表示装置１４は、各顧客によってそれぞれ、商業施設、病院、官公庁などの不特定多数の人が看取可能な場所等に設置されて、所定の配信情報を表示する。
このため、表示装置１４としては、大型画面かつ薄型の表示装置が好ましく、プラズマディスプレイや液晶型ディスプレイなどを用いることが好ましい。
【００１２】
次に、本実施の形態の情報配信システムの一具体例として、病院に導入した場合について説明する。
このように、病院に導入した情報配信システムでは、来院する患者等への病院独自の情報とともに、一般的な生活情報、お役立ち情報あるいは娯楽番組などのコンテンツを、管理サーバ１３から表示装置用端末１２を使って表示装置１４に表示・放映する。
例えば、生活情報、お役立ち情報、娯楽番組などの顧客（病院）によらない一般的なコンテンツや顧客（病院）独自のオリジナル情報などが管理サーバ内に多数用意されており、この多数のコンテンツの中から選択したコンテンツをならべて放映スケジュールが組まれている。
【００１３】
さらに、管理サーバ１３には、顧客（病院）に対応する複数のページからなる登録ページが用意されており、登録ページには、ネットワーク１０に接続された入力端末１１から顧客（病院）側がテキスト情報などを任意に入力・登録することができる。
【００１４】
そして、上記放映スケジュールには、図２（ａ）に示すように、複数のオリジナル情報ｄ１、ｄ２、ｄ３、ｄ４とともに割り込み情報として、指定時間に登録ページＰ１、Ｐ２が表示されるように、予め設定されている。
なお、この段階では、顧客（病院）側が登録ページＰ１には、既定の情報である風景写真（オリジナルな壁紙）が、登録ページＰ２には、「休診案内」のタイトルのみが表示される。
【００１５】
そして、情報を入力した後は、図２（ｂ）に示すように、例えば、登録ページＰ１に「今月の休院日」に関する情報が、登録ページＰ２に「休診案内」に関する情報が表示装置１４に表示されることになる。
このように、表示装置１４に表示する表示情報を頻繁に更新する必要がある場合には、このような顧客毎に用意された登録ページを利用した割り込み表示方法を使うと便利である。
【００１６】
このような割り込み表示情報の入力は、専用のソフトウェアがインストールされた専用の端末、さらには、この専用の端末の操作に習熟した専任のオペレータ（作業者）などが必要なく、インターネットなどのネットワークに接続できる環境があれば、汎用のＰＣを使っていつでも（臨時や不定期に）、どこからでも任意に行うことができる。
【００１７】
インターネットなどの、公衆ネットワークにおいては、不特定者が顧客の登録ページに入力できないように、予め情報配信事業者から、顧客に固有のユーザーＩＤとパスワードを予め発行してもらっておく必要がある。このユーザーＩＤとパスワードをユーザーログイン画面で入力することにより、インターネットを通じて情報入力が可能となる。
【００１８】
次に、実際に割り込み表示情報の入力を行う手順の一例を挙げ、以下説明する。
まず、入力端末１１でブラウザを立ち上げて、情報配信事業者の所定のアドレスにアクセスすると、図３の左上部分に示すユーザーログイン画面が表示される。そして、特定の顧客に発行されたユーザーＩＤおよびパスワードを入力し、「ログイン」ボタンを押す。
すると、図３に示すような特定の顧客の登録ページ管理一覧画面が表示される。
この登録ページ管理一覧画面にはページ単位で表示情報のタイトル、表示期間の表示／非表示、表示期間の記述欄および「編集」、「画像登録」、「表示設定」の画面への選択ボタンが設けられている。
【００１９】
ここで、「編集」ボタンを押すと、入力端末１１に、図４に示すようなテンプレート入力による編集画面が表示されるので、そのテンプレートのパターンに従って、表示形式、タイトル、タイトルフォント、タイトルサイズ、タイトルカラー、タイトル位置、本文フォント、本文サイズ、本文カラー、本文位置、本文、背景設定の内容を書き込み、または選択した上で、画像設定を「する」にカーソルチェックする。ここで編集した前記表示画面は前記割り込み表示に反映される。
【００２０】
また、図３において「登録ボタン」を押すと、図５に示すようなテンプレートに各情報を入力することにより、登録ページの画像を作成して登録する画像登録画面が表示され、各ページのタイトル、画面サイズの選択（４分割サイズか全画面サイズかなど）、表示画像の位置、背景などについて各項目の書き込みまたは選択をすることで画像を作成することができ、画像登録ボタンを押すことで、この作成された登録ページの画像が管理サーバ１３内の記録手段に格納される。
【００２１】
また、図３において「設定」ボタンを押すと、図６に示すような表示設定画面が表示され、ここで表示、非表示のチェックと期間表示の設定が可能となる。設定画面は記録手段に格納され、さらに登録ページ管理一覧画面にて確認できる。
【００２２】
また、図４の編集画面において、「記事保存」ボタンを押した場合には、編集画面は記録手段に保存され、画像設定する場合には画像登録画面へ移行し、画像設定しない場合には登録ページ管理一覧画面へ移行する。なお、「記事削除」ボタンを押すと編集中の内容を削除できる。
【００２３】
従って、編集画面や画像登録画面で各種情報をテンプレート入力するだけで、容易に登録ページの画像の作成ができる。
【００２４】
以上詳述したように、本実施の形態における情報配信システム１は、情報配信事業者が運営する管理サーバ１３と、情報配信事業者と予め契約して、情報配信サービスを受ける顧客の表示装置用端末１２および表示装置１４と、がネットワーク１０を介して接続され、
管理サーバ１３から各顧客に配信された情報が顧客ごとの予め決められた放映スケジュールに従って、表示装置１４に表示される情報配信システム１であり、管理サーバ１３は、各顧客対応の記録手段を備え、ネットワーク１０に接続された入力端末１１から記録手段にアクセスして入力された顧客に特有な情報を、顧客の放映スケジュールの指定された時間で割り込ませて表示させる。
【００２５】
これにより、専用のソフトウェアがインストールされた専用の端末や専任のオペレータ（作業者）を用意せずとも、汎用のＰＣからインターネット等のネットワーク１０を通じて登録ページに書き込みを行うことができ、頻繁に更新が必要となるテキストや画像による表示情報を表示装置１４上にタイムリーに割り込み表示させることができ、これを比較的簡単な構成、機能にて実現できる。
【図面の簡単な説明】
【００２６】
【図１】本発明の実施の形態に係る情報配信システムを示すブロック図である。
【図２】本発明の実施の形態に係る情報配信システムによる放映スケジュールへの割り込みを説明する図である。
【図３】本発明の実施の形態に係る情報配信システムにおける登録ページ管理一覧画面を示す図である。
【図４】本発明の実施の形態に係る情報配信システムにおける編集画面を示す図である。
【図５】本発明の実施の形態に係る情報配信システムにおける画像登録画面を示す図である。
【図６】本発明の実施の形態に係る情報配信システムにおける表示設定画面を示す図である。
【符号の説明】
【００２７】
１  情報配信システム
１０  ネットワーク
１１  入力端末
１２  表示装置用端末
１３  管理サーバ
１４  表示装置
【図１】
2005136550.tif 000003
【図２】
2005136550.tif 000004
【図３】
2005136550.tif 000005
【図４】
2005136550.tif 000006
【図５】
2005136550.tif 000007
【図６】
2005136550.tif 000008